(57)【要約】【課題】  部品点数が少なく且つ小スペースでの配置を可能としたベビーカーのハンドルロック連動装置を得ること。【解決手段】  手押し杆１５を構成する左右一対のハンドルパイプ１５ａ、１５bの一方のハンドルパイプ１５ａの手元部に、手押し杆の水平部に直交する軸５２に対して揺動可能に装着された第１のハンドルジョイント５０が固着され、他方のハンドルパイプ１５ｂの手元部に、上記軸に対して揺動可能に装着された第２のハンドルジョイント５１が固着されている。上記第１及び第２のハンドルジョイントの両者或いはその一方に選択的に係合されるロック部材５３が上記軸５２に対して摺動のみ可能に装着され、上記軸に枢着されたベビーカーの折り畳み或いは展開操作用の手元遠隔操作レバー５５の揺動操作により上記ロック部材５３が第１及び第２のハンドルジョイントの両者に係合してハンドルのロックが行なわれ、或いはその一方のみに係合されハンドルのロックが解除されるようにしてある。【選択図】  図１０      
2005280451.tif 000002
【特許請求の範囲】
【請求項１】
手押し杆を構成する左右一対のハンドルパイプと、一方のハンドルパイプの手元部に固着され、手押し杆の水平部に直交する軸に対して揺動可能に装着された第１のハンドルジョイントと、他方のハンドルパイプの手元部に固着され、上記軸に対して揺動可能に装着された第２のハンドルジョイントと、上記軸に対して摺動のみ可能に装着され、上記第１及び第２のハンドルジョイントの両者或いはその一方のみに選択的に係合されるロック部材と、上記軸に枢着されたベビーカーの折り畳み或いは展開操作用の手元遠隔操作レバーとを有し、上記手元遠隔操作レバーの揺動操作により上記ロック部材が第１及び第２のハンドルジョイントの両者に係合してハンドルのロックが行なわれ、或いはその一方のみに係合されハンドルのロックが解除されるようにしたことを特徴とする、ベビーカーのハンドルロック連動装置。
【請求項２】
上記各ハンドルジョイントはケース状をしており、その内面に前記軸と平行方向に延びる係合部が設けられており、上記ロック部材は第１及び第２の連結部材内に摺動可能に配設され、その外面には上記ハンドルジョイントの係合部に係合可能なロック部が形成されていることを特徴とする、請求項１記載のベビーカーのハンドルロック連動装置。
【請求項３】
ハンドルジョイントの係合部及びロック部材のロック部は、互いに係合可能な凹凸条であることを特徴とする、請求項２記載のベビーカーのハンドルロック連動装置。
【請求項４】
上記ロック部材の前記手元遠隔操作レバー側の面には、前記軸を中心とする弧状を呈し、周方向に次第に深さが浅くされた凹部が形成されており、上記手元遠隔操作レバーには第２のハンドルジョイントを貫通して上記ロック部材の凹部に係合する突部が設けられていることを特徴とする、請求項１乃至３のいずれかに記載のベビーカーのハンドルロック連動装置。
【請求項５】
ロック部材は常時第１及び第２のハンドルジョイントの両者に係合する方向に付勢されていることを特徴とする、請求項１乃至４のいずれかに記載のベビーカーのハンドルロック連動装置。
【発明の詳細な説明】
【技術分野】
【０００１】
本発明は、折り畳み可能なベビーカーにおけるハンドルロック連動装置に関する。
【背景技術】
【０００２】
一般に、乳幼児を散歩や買い物等のために屋外に連れ出す場合に使用するベビーカーにおいては、必要に応じて折り畳み、収納や携帯が容易になるようにしたものが種々提案されている。
【０００３】
ところで、上記ベビーカーの幅が狭くなるように折り畳めるようにしたベビーカーにおいては、その折り畳みを容易にするために、手押し杆のハンドル部にジョイントが設けられ左右のハンドルパイプが互いに近づく方向に揺動可能としてあり、ベビーカーの折り畳み或いは展開操作用の手元遠隔操作レバーに連動して上記ジョイントのロック及びその解除を行うようにしたものも提案されている（特開平１０−９５３４８号公報）。すなわち、上記ベビーカーの折り畳み或いは展開操作用の手元遠隔操作レバーと連動する一方のラックにより歯車を介して他方のラックを作動させ、上記ラックに設けられている係合片によりハンドル部の固定、解除を行うとともに、そのラックの移動によりハンドル部の揺動を行うように構成されている。
【特許文献１】特開平１０−９５３４８号公報
【発明の開示】
【発明が解決しようとする課題】
【０００４】
ところが、上記ハンドルロック連動機構は、部品点数が多く、部品の配置に大きなスペースが必要としており、ハンドルの関節が２カ所の場合のみにしか適用できず、ハンドルの関節が１カ所の場合には上記機構を適用しょうとすると握り部のサイズが大きくなり、使用者の使用勝手が悪くなる等の問題がある。
【０００５】
本発明は、このような点に鑑み、部品点数が少なく且つ小スペースでの配置を可能としたベビーカーのハンドルロック連動装置を得ることを目的とする。
【課題を解決するための手段】
【０００６】
請求項１に係る発明は、手押し杆を構成する左右一対のハンドルパイプと、一方のハンドルパイプの手元部に固着され、手押し杆の水平部に直交する軸に対して揺動可能に装着された第１のハンドルジョイントと、他方のハンドルパイプの手元部に固着され、上記軸に対して揺動可能に装着された第２のハンドルジョイントと、上記軸に対して摺動のみ可能に装着され、上記第１及び第２のハンドルジョイントの両者或いはその一方のみに選択的に係合されるロック部材と、上記軸に枢着されたベビーカーの折り畳み或いは展開操作用の手元遠隔操作レバーとを有し、上記手元遠隔操作レバーの揺動操作により上記ロック部材が第１及び第２のハンドルジョイントの両者に係合してハンドルのロックが行なわれ、或いはその一方のみに係合されハンドルのロックが解除されるようにしたことを特徴とする。
【０００７】
請求項２に係る発明は、請求項１に係る発明において、上記各ハンドルジョイントはケース状をしており、その内面に前記軸と平行方向に延びる係合部が設けられており、上記ロック部材は第１及び第２の連結部材内に摺動可能に配設され、その外面には上記ハンドルジョイントの係合部に係合可能なロック部が形成されていることを特徴とする。
【０００８】
請求項３に係る発明は、請求項２に係る発明において、ハンドルジョイントの係合部及びロック部材のロック部は、互いに係合可能な凹凸条であることを特徴とする。
【０００９】
請求項４に係る発明は、請求項１乃至３のいずれかに係る発明において、上記ロック部材の前記手元遠隔操作レバー側の面には、前記軸を中心とする弧状を呈し、周方向に次第に深さが浅くされた凹部が形成されており、上記手元遠隔操作レバーには第２のハンドルジョイントを貫通して上記ロック部材の凹部に係合する突部が設けられていることを特徴とする。
【００１０】
請求項５に係る発明は、請求項１乃至４のいずれかに係る発明において、ロック部材は常時第１及び第２のハンドルジョイントの両者に係合する方向に付勢されていることを特徴とする。
【発明の効果】
【００１１】
本発明は、上述のように、手押し杆を構成する左右一対のハンドルパイプと、一方のハンドルパイプの手元部に固着され、手押し杆の水平部に直交する軸に対して揺動可能に装着された第１のハンドルジョイントと、他方のハンドルパイプの手元部に固着され、上記軸に対して揺動可能に装着された第２のハンドルジョイントと、上記軸に対して摺動のみ可能に装着され、上記第１及び第２のハンドルジョイントの両者或いはその一方のみに選択的に係合されるロック部材と、上記軸に枢着されたベビーカーの折り畳み或いは展開操作用の手元遠隔操作レバーとを設け、上記手元遠隔操作レバーの揺動操作により上記ロック部材が第１及び第２のハンドルジョイントの両者に係合してハンドルのロックが行なわれ、或いはその一方のみに係合されハンドルのロックが解除されるようにしたので、その構造が極めて簡単であり、小スペースでの配置を行うことができ、使用勝手を改善することができる。
【発明を実施するための最良の形態】
【００１２】
以下、添付図面を参照して本発明の実施の形態について説明する。
【００１３】
図１は本発明のベビーカーの概略構成を示す斜視図であり、双輪構造の前輪１１を有する左右一対の前脚１２、双輪構造の後輪１３を有する左右一対の後脚１４、ほぼＵ字状に屈曲された手押し杆１５、左右一対のアームレスト１６、及びそのアームレスト１６、１６の間に掛け渡された着脱可能なガードアーム１７によりベビーカー本体が構成されている。
【００１４】
上記手押し杆１５における水平部の手元部には遠隔操作装置１８が設けられており、その遠隔操作装置１８を中心として上記手押し杆１５の左右のハンドルパイプ１５ａが接近方向に揺動可能としてある。上記手押し杆１５における左右のハンドルパイプ１５ａにはそれぞれ上記アームレスト１６の後端部が軸１９により枢着されており、その左右のアームレスト１６の中間部にそれぞれ前脚１２及び後脚１４の頂端部が枢着されている。
【００１５】
上記手押し杆１５のハンドルパイプ１５ａの先端近傍部には、上記遠隔操作装置１８の遠隔操作レバー５５を操作することによりワイヤを介してハンドルパイプ１５ａ、１５bの軸線方向に移動操作される係止ピン２０が突出されている。また、上記ハンドルパイプ１５ａの先端部にはブラケット２１が軸２２により枢着されており、そのブラケット２１の先端部が後脚１４の中間部に軸２３により枢着されている。一方、上記ブラケット２１の他端には前記係止ピン２０が係脱される凹溝２１ａが形成されている。そして、図１に示すようなベビーカーの使用状態すなわち展開状態に於いて、後脚１４が手押し杆１５のハンドルパイプ１５ａの先端部に係合され、後脚１４の位置が規制されるようにしてある。
【００１６】
上記手押し杆１５における左右の各ハンドルパイプ１５ａの先端部には、各ハンドルパイプ１５ａの互いに対向する内面側において軸線方向に延びる延長杆２４がそれぞれ固着されており、その各延長杆２４の中間部にフレーム２５の後端部が軸２６により枢着されて、そのフレーム２５の前端部がそれぞれ前脚１２に枢着されている。上記左右のフレーム２５の前端近傍には、図２に示すように、それぞれジョイント２７が固着されており、その左右のジョイント２７にシートステー２８の両端部が軸２７ａにより枢着されている。すなわち、上記シートステー２８は中央シートステー２８ａ及び左右の端部シートステー２８ｂ、２８ｂにより構成されており、中央シートステー２８ａの両端部に左右の端部シートステー２８ｂ、２８ｂがそれぞれ軸２９により枢着されている。そして、上記シートステー２８が、図３に示すように、軸２７ａ、及び軸２９によりコ字状に前方に屈曲可能としてある。
【００１７】
一方、前記手押し杆１５におけるハンドルパイプ１５ａの先端部に設けられている延長部２４とシートステー２８とはＸ字状のリンク３０により連結されている。すなわち、Ｘ字状のリンク３０はほぼ中央部が互いに枢着された２本のリンク３０ａ、３０ａにより構成されており、各リンク３０ａの後端部が前記左右の延長杆２４にそれぞれ固着されたジョイント３１に軸３１ａにより枢着されている。また、上記各リンク３０ａ、３０ａの先端部が前記シートステー２８における左右の端部シートステー２８ｂ、２８ｂにそれぞれ設けられたボス２８ｂ１、２８ｂ１に軸３２により枢着されている。
【００１８】
また、左右の前脚１２は前ステー３３により連結されている。すなわち、図４に示すように、上記前ステー３３は中央前ステー３３ａ及び左右の端部前ステー３３ｂ、３３ｂにより構成されており、上記中央前ステー３３ａの両端部にそれぞれ端部前ステー３３ｂが軸３４により枢着され、左右の端部前ステー３３ｂの先端部が前脚１２に固着されたジョイント３５に軸３５ａにより枢着されている。そして、上記前ステー３３も、図５に示すように、軸３４、３５ａにより上方にほぼコ字状に屈曲可能としてある。ところで、上記端部前ステー３３ｂにはジョイント３５寄り側に延長部３３ｂ１が形成されており、その延長部３３ｂ１の上記軸３５ａに対して偏心した位置にロッド３６の下端が連結されている。そして上記ロッド３６の上端が前記フレーム２５の前脚との枢着部より後方位置に連結されている。
【００１９】
さらに、左右の後脚１４は後ステー４０により互いに連結されている。すなわち、上記後ステー４０は、図６に示すように、中央後ステー４０ａ及び左右の端部後ステー４０ｂ、４０ｂにより構成されており、中央後ステー４０ａの両端部にそれぞれ軸４１により端部後ステー４０ｂが枢着され、その端部後ステー４０ｂの先端部が後脚１４に固着されているジョイント４２にそれぞれ軸４３により枢着されている。そして、図７に示すように、上記後ステー４０が軸４１、４３により前方側に屈曲可能としてある。
【００２０】
ところで、上記左右の端部後ステー４０ｂ、４０ｂには、前記ジョイント４２側にボス４４が形成されており、そのボス４４にロッド４５の一端が連結されている。一方、前記ブラケット２１には軸２３による後脚１４への枢着点より先端側に延びる延長部２１ｂが設けらており、その延長部２１ｂに上記ロッド４５の他端が点４６により連結されている。さらに、上記中央後ステー４０ａ内には、図８に示すように、リンクバー４７が延設されており、その両端部が端部後ステー４０ｂに枢着連結されている。すなわち、上記リンクバー４７の一端が一方の端部後ステー４０ｂの軸４１に対して偏心した位置に連結され、上記リンクバー４７の他端が他方の端部後ステー４０ｂの軸４１に対して偏心した位置に連結されている。この場合、上記リンクバー４７の両連結点は、左右の端部後ステー４０ｂにおいて軸４１に対して互いに反対側に設けられており、中央後ステー４０ａに対して一方の端部後ステー４０ｂが屈曲されたときには、図９に示すように、上記リンクバー４７を介して他方の端部後ステー４０ｂが連動して中央後ステー４０ａに対して屈曲する方向に作動されるようにしてある。
【００２１】
図１０は上記遠隔操作装置１８の平断面図、図１１は一部切り欠き側面図、図１２は上記遠隔操作装置１８の主要部の分解斜視図であり、手押し杆１５を構成する一方のハンドルパイプ１５ａの手元側端部には第１のハンドルジョイント５０が固着されており、他方のハンドルパイプ１５ａの手元側端部には第２のハンドルジョイント５１が固着され、上記第１のハンドルジョイント５０及び第２のハンドルジョイント５１は手押し杆の水平部に直交する軸５２にそれぞれ揺動可能に枢着されている。上記第１のハンドルジョイント５０及び第２のハンドルジョイント５１は、図１２に示すようにケース状に形成されており、各ハンドルジョイント５０、５１における互いに対向する内面に上記軸５２と平行方向に延びる凹凸条の係合部５０ａ、５１ａが形成されている。上記第１のハンドルジョイント５０及び第２のハンドルジョイント５１内にはロック部材５３が軸５２に沿って摺動可能に配設されている。上記ロック部材５３の外側面には、上記第１のハンドルジョイント５０及び第２のハンドルジョイント５１の係合部５０ａ、５１ａの両者及び第１のハンドルジョイント５０の係合部５０ａのみに選択的に係合するロック部５３ａが形成されている。そして、上記ロック部材５３は、バネ５４によりロック部５３ａが常時上記第１のハンドルジョイント５０及び第２のハンドルジョイント５１の係合部５０ａ、５１ａの両者に係合するように付勢されている（図１０）。
【００２２】
前記軸５２にはさらに手元遠隔操作レバー５５が枢着されている。その手元遠隔操作レバー５５には上記軸５２に対して対角線上に２本のワイヤ５６の各一端が連結されており（図１１）、そのワイヤ５６がそれぞれ左右のハンドルパイプ１５ａ、１５ｂ内に挿通され、その各先端部が前記係止ピン２０に連結されている。
【００２３】
ところで、前記ロック部材５３には、上記手元遠隔操作レバー５５側の面に軸５２を中心とする弧状の凹部５３ｂが設けられている。上記凹部５３ｂは、図１２において時計方向に次第に浅くなるように底面が傾斜されている。一方、前記手元遠隔操作レバー５５には第２のハンドルジョイント５１を貫通して第２のハンドルジョイント５１内に延びる突起５５ａが突設されており、その突起５５ａが前記ロック部材５３に形成されている凹部５３ｂに係合されている。
【００２４】
なお、図１０中、符号５７は第１のハンドルジョイント５０、及び第２のハンドルジョイント５１を保持する保持体、５８は遠隔操作装置１８のケースである。
【００２５】
しかして、ベビーカーの使用可能状態時においては、バネ５４によりロック部材５３のロック部５３ａが第１及び第２のハンドルジョイント５０、５１の係合部５０ａ、５１ａの両者に係合しており、左右のハンドルパイプ１５ａ、１５ｂはロックされている（図１０）。
【００２６】
そこで、図１に示す展開状態からベビーカーを折り畳む場合には、遠隔操作装置１８の遠隔操作レバー５５を操作し、その遠隔操作レバー５５を図１１において時計方向に回動させると、ワイヤ５６を介して係止ピン２０が引き上げられ、ブラケット２１の凹溝２１ａとの係合が解放されるとともに、遠隔操作レバー５５に設けられている突起５５ａがロック部材５３の凹部５３ｂの浅くなっている部分と当接するようになり、上記ロック部材５３がバネ５４に抗して移動され、ロック部材５３のロック部５３ａが第１のハンドルジョイント５０の係止部５０ａのみに係合する（図１３）。したがって、第１のハンドルジョイント５０と第２のハンドルジョイント５１とのロックが解除され、図１４に示すように、左右のハンドルパイプ１５ａ、１５ｂが互いに揺動可能な状態となる。
【００２７】
そこで、手押し杆１５を手前に引きながら押し下げると、ブラケット２１が軸２２を中心として図１において反時計方向に回動し、後脚１４に対して手押し杆１５が下方位置に移動する。したがって、その手押し杆１５の移動によりアームレスト１６及びフレーム２５が手押し杆１５のハンドルパイプ１５ａ、１５ｂに枢着されている軸１９、２６を中心として上方に揺動し、これによって、前脚１２と後脚１４が互いに接近する方向に移動して、図１５に示すようにベビーカーの前後方向の寸法が縮小される。一方、フレーム２５の揺動に対応して、Ｘ字状のリンク３０の後端部が枢着されているジョイント３１と左右の端部シートステー２８ｂ、２８ｂが枢着されているジョイント２７間の寸法が広くなることにより、Ｘ字状のリンク３０が閉方向に作動され、これによってシートステー２８が図３に示すように前方側にコ字状に屈曲される。また、上記フレーム２５の上方への揺動により前脚１２が上方に持ち上げられることにより、上記フレーム２５に枢着されているロッド３６の枢着点と前脚１２に固着されているジョイント３５の軸３５ａとの間の寸法が小さくなるため、上記フレーム２５が上方へ揺動されると、ロッド３６を介して端部前ステー３３ｂの延長部３３ｂ１に下方への力が作用し、端部前ステー３３ｂが軸３５ａを中心として図４において反時計方向に揺動される。したがって、左右の端部前ステー３３ｂの回動により、これに連動して図５に示すように前ステー３３もコ字状に屈曲される。  一方、前述のように、ベビーカーを展開状態から折り畳む場合には、手押し杆１５を手前に引きながら押し下げると、ブラケット２１が後脚１４とともに軸２２を中心として図１において反時計方向に回動するが、この場合、図７に示すように、上記ブラケット２１の回動に応じて上記ブラケット２１は後脚１４に対しても後脚１４へに枢着点である軸２３を中心として相対的に反時計方向に回動される。したがって、左右のブラケット２１の先端部にそれぞれ設けられている延長部２１ｂに枢着されているロッド４５を介して左右の端部後ステー４０ｂに引っ張り力が働き、端部後ステー４０ｂが軸４３を中心として前方側に回動され、後ステー４０が図７に示すようにコ字状に屈曲される。この場合、図９に示すように、一方の端部後ステー４０ｂが軸４３を中心として回動されると、リンクバー４７を介して他方の端部後ステー４０ｂにも軸４３を中心とする回動力が働くので、左右の端部後ステー４０ｂは同期して回動し、確実に折り畳みが可能となる。
【００２８】
このようにして、左右の前脚１２及び手押し杆１５のハンドルパイプ１５ａが互いに接近する方向に移動されるとともに後脚１４が互いに接近する方向に移動され、図１６に示すように、ベビーカーの横方向の寸法が縮小される。
【００２９】
一方、上記折り畳んだ状態から使用のために展開状態とする場合には、手押し杆１５を上方に持ち上げ手押し杆１５の手元部を手前側に引き寄せると、左右のアームレスト１６及びフレーム２５が図１において時計方向に揺動し、Ｘ字状のリンク３０が図３に示す状態に開方向に展開され、それに連動してシートステー２８が完全に直線状に延ばされるとともに、ロッド３６を介して端部前ステー３３ｂが軸３５ａを中心として図５において時計方向に回動され、図４に示すように前ステー３３が直線状に延ばされる。一方、前記ベビーカー本体の展開操作に応じて、ブラケット２１が軸２３を中心として図７において時計方向に回動することによって、これに連動してロッド４５を介して後ステー４０の端部後ステー４０ｂが軸４３を中心として回動され、後ステー４０も図６に示すように直線状に延ばされる。このようにして、左右の前脚１２及び後脚１４が互いに離れる方向に移動するとともに前輪１１と後輪１３が離間し、図１に示すような使用可能な展開状態となる。
【００３０】
このようにベビーカーが展開状態になると、ロック部材５３がバネ５４により第２のハンドルジョイント５１の方向に移動され、上記ロック部材５３が第１及び第２のハンドルジョイント５０、５１の両者に係合し、左右のハンドルパイプ１５ａ、１５ｂが互いにロックされる。
【００３１】
なお、上記実施の形態においては、シートステー２８、前ステー３３、及び後ステー４０をコ字状に折り曲げ可能としたものを示したが、各ステーをその中央部で折り曲げ可能としてもよい。
【図面の簡単な説明】
【００３２】
【図１】本発明のベビーカーの外観を示す斜視図。
【図２】Ｘ字状リンク及びシートステーの展開状態を示す部分拡大図。
【図３】Ｘ字状リンク及びシートステーの折り曲げ状態を示す部分拡大図。
【図４】フレームと前ステーとの連結状態を示す図であって、前ステーの展開状態を示す部分拡大図。
【図５】前ステーの折り曲げ状態を示す部分拡大図。
【図６】ブラケットと後ステーとの連結状態を示す図であって、後ステーの展開状態を示す部分拡大図。
【図７】後ステーの折り曲げ状態を示す部分拡大図。
【図８】後ステーの一部断面正面図。
【図９】後ステーの折り曲げた状態を示す一部断面正面図。
【図１０】遠隔操作装置のロック状態を示す平断面図。
【図１１】図１０の遠隔操作装置の一部切り欠き側面図。
【図１２】遠隔操作装置の主要部の分解斜視図。
【図１３】遠隔操作装置のロック解除状態を示す平断面図。
【図１４】図１３の遠隔操作装置の一部切り欠き側面図。
【図１５】本発明のベビーカーを折り畳んだ状態の側面図。
【図１６】本発明のベビーカーを折り畳んだ状態の背面図。
【符号の説明】
【００３３】
１１  前輪
１２  前脚
１３  後輪
１４  後脚
１５  手押し杆
１５ａ、１５ｂ  ハンドルパイプ
１６  アームレスト
１８  遠隔操作装置
２１  ブラケット
２４  延長杆
２５  フレーム
２８  シートステー
２８ａ  中央シートステー
２８ｂ  端部シートステー
３０  Ｘ字状リンク
３３  前ステー
３３ａ  中央前ステー
３３ｂ  端部前ステー
３６  ロッド
４０  後ステー
４０ａ  中央後ステー
４０ｂ  端部後ステー
４５  ロッド
４７  リンクバー
５０  第１のハンドルジョイント
５０ａ  係合部
５１  第２のハンドルジョイント
５１ａ  係合部
５３  ロック部材
５３ａ  ロック部
５３ｂ  凹部
５５  手元遠隔操作レバー
５５ａ  突起
【図１】
2005280451.tif 000003
【図２】
2005280451.tif 000004
【図３】
2005280451.tif 000005
【図４】
2005280451.tif 000006
【図５】
2005280451.tif 000007
【図６】
2005280451.tif 000008
【図７】
2005280451.tif 000009
【図８】
2005280451.tif 000010
【図９】
2005280451.tif 000011
【図１０】
2005280451.tif 000012
【図１１】
2005280451.tif 000013
【図１２】
2005280451.tif 000014
【図１３】
2005280451.tif 000015
【図１４】
2005280451.tif 000016
【図１５】
2005280451.tif 000017
【図１６】
2005280451.tif 000018